(57)【要約】【課題】簡単な構成で内転リングの誤作動を防止可能な時計を提供する事を目的とする。【解決手段】腕時計１は、風防ガラス３を有する外装ケース２と、この外装ケース２内部に収納されるとともに、風防ガラス３に対向して設けられる円盤状の文字板５２と、文字板５２の外周縁に沿うリング状に形成されるとともに、周方向に沿って回転可能に設けられる内転リング５１と、内転リング５１を回転させる回転操作部８３とを具備する。内転リング５１は、周方向に沿って形成される駆動部を備え、回転操作部８３は、文字板５２の面方向に対して直交する方向を軸心とし、軸心を中心軸として回転可能に設けられる回転軸部８３１と、回転軸部の当該時計の内部側の一端部に設けられ、駆動部に係合する駆動伝達部８３３と、回転軸部８３１の他端部に設けられ、腕時計１の風防側に突出して設けられる回転頭部８３２と、を具備する。【選択図】図２
2010139460.tif 000002
【特許請求の範囲】
【請求項１】
風防ガラスを有する外装ケースと、この外装ケース内部に収納されるとともに、前記風
防ガラスに対向して設けられる略円盤状の文字板と、前記文字板の外周縁に沿うリング状
に形成されるとともに、周方向に沿って回転可能に設けられる内転リングと、前記内転リ
ングを回転させる回転操作部と、を具備した時計であって、
前記内転リングは、周方向に沿って形成される駆動部を備え、
前記回転操作部は、
前記文字板の面方向に対して直交する方向を軸心とし、この軸心を中心軸として回転可
能に設けられる回転軸部と、
前記回転軸部の当該時計の内部側の一端部に設けられるとともに、前記駆動部に係合す
る駆動伝達部と、
前記回転軸部の他端部に設けられるとともに、当該時計の風防側に突出して設けられる
回転頭部と、
を具備した
ことを特徴とする時計。
【請求項２】
請求項１に記載の時計において、
前記駆動伝達部は、所定摩擦係数を有し、摩擦力により前記駆動伝達部と連動して駆動
可能な高摩擦樹脂により形成される
ことを特徴とする時計。
【請求項３】
請求項２に記載の時計において、
前記駆動部は、前記高摩擦性樹脂により形成される前記駆動伝達部を弾性変形させる硬
質部材により形成されるともに、前記高摩擦性樹脂に食い込む凹凸部を備えた
ことを特徴とする時計。
【請求項４】
請求項１から請求項３のいずれかに記載の時計において、
前記外装ケースは、略筒状の胴部と、この胴部の前記風防ガラス側に設けられ、前記風
防ガラスの外周縁を保持する枠部と、を備え、
前記回転軸部は、前記枠部を貫通して設けられる
ことを特徴とする時計。
【発明の詳細な説明】
【技術分野】
【０００１】
本発明は、内転リングを備えた時計に関する。
【背景技術】
【０００２】
従来、文字板の外周縁に沿って回転可能に設けられる内転リングを備えた時計が知られ
ている（例えば、特許文献１参照）。
【０００３】
この特許文献１に記載の時計は、胴の内周側に固定目盛板および文字板が保持され、こ
の固定目盛板の上部（風防側）に回転目盛板（内転リング）が回転可能に配置されている
。また、胴の側面から胴内部に貫通するパイプの内部にりゅうずが装着され、りゅうずの
先端には、内転リングの裏蓋側に形成される歯車に係合する歯車が固定される構成が採ら
れている。
【０００４】
【特許文献１】実開平４−６６５９７号公報（実用新案登録第２５１６５６６号公報）
【発明の開示】
【発明が解決しようとする課題】
【０００５】
しかしながら、上記特許文献１に記載のような時計の内転リングの駆動構造では、回転
操作部が時計側面に設けられている。このような構成では、例えば、時計使用時に回転操
作部の頭部が腕にあたるなどの要因により、回転操作部が回転し、内転リングも回転操作
部に連動して回転するという問題があった。
【０００６】
本発明は、上記のような問題に鑑みて、簡単な構成で誤作動を防止可能な時計を提供す
ることを目的とする。
【課題を解決するための手段】
【０００７】
風防ガラスを有する外装ケースと、この外装ケース内部に収納されるとともに、前記風
防ガラスに対向して設けられる略円盤状の文字板と、前記文字板の外周縁に沿うリング状
に形成されるとともに、周方向に沿って回転可能に設けられる内転リングと、前記内転リ
ングを回転させる回転操作部と、を具備した時計であって、前記内転リングは、周方向に
沿って形成される駆動部を備え、前記回転操作部は、前記文字板の面方向に対して直交す
る方向を軸心とし、この軸心を中心軸として回転可能に設けられる回転軸部と、前記回転
軸部の当該時計の内部側の一端部に設けられるとともに、前記駆動部に係合する駆動伝達
部と、前記回転軸部の他端部に設けられるとともに、当該時計の風防側に突出して設けら
れる回転頭部と、を具備したことを特徴とする。
【０００８】
この発明によれば、回転操作部が時計厚み方向に設けられ、回転操作部の頭部が時計の
風防側に突出して設けられている。このような構成では、回転操作部の頭部を回転させる
ことにより、駆動伝達部から駆動部に駆動力が伝達され、内転リングが回転する。
ここで、本発明では、回転操作部は、時計厚み方向に設けられているため、風防側に突
出する回転頭部が当該時計の使用中に腕や衣服などに当たることがない。したがって、不
慮の回転操作部の回転による内転リングの回転を防止することができ、誤作動を防止する
ことができる。
さらに、従来の回転操作部が時計側面にあるものは、例えば、右手に装着した場合、回
転操作部が右上腕側に配置され、左手では回転操作部を操作しにくいなど、利用者の利き
腕や操作方法により操作性が悪化するという問題がある。これに対して、本発明では、回
転操作部の回転頭部が風防側に突出する構成であるため、利用者の利き腕に関係なく操作
しやすく、操作性を向上できる。
【０００９】
本発明の時計において、前記駆動伝達部は、所定摩擦係数を有し、摩擦力により前記駆
動伝達部と連動して駆動可能な高摩擦樹脂により形成されることを特徴とする。
ここで、高摩擦性樹脂としては、例えばアクリルメラミン系樹脂、ポリエステルウレタ
ン系樹脂などの高摩擦係数を有する合成樹脂により形成される合成ゴムや、天然ゴムを用
いることができる。
【００１０】
この発明によれば、駆動伝達部は、所定摩擦係数を有する高摩擦性樹脂により形成され
、生じる摩擦力によって駆動部に駆動力を伝達する。
ここで、内転リングの駆動機構として、駆動伝達部および駆動部を歯車により形成する
場合、駆動伝達部から駆動部側に突出する歯の寸法分、時計平面方向に対するサイズが大
型化してしまう。これに対して、本発明では、上記構成により、駆動部に突出する歯の寸
法をなくすことができ、時計平面方向に対するサイズを小さくすることができる。
【００１１】
本発明の時計において、前記駆動部は、前記高摩擦性樹脂により形成される前記駆動伝
達部を弾性変形させる硬質部材により形成されるともに、前記高摩擦性樹脂に食い込む凹
凸部を備えたことを特徴とする。
【００１２】
この発明によれば、高摩擦樹脂により形成され駆動伝達部が弾性変形して凹凸部に食い
込むことで、駆動部と駆動伝達部との接触面積が大きくなり、摩擦力が増大する。これに
より、摩擦力により駆動部および駆動伝達部を連動させる際に、これらの駆動部および駆
動伝達部間の滑りを少なくでき、より確実に回転操作部の回転を内転リングに伝達するこ
とができる。
【００１３】
本発明の時計において、前記外装ケースは、略筒状の胴部と、この胴部の前記風防ガラ
ス側に設けられ、前記風防ガラスの外周縁を保持する枠部と、を備え、前記回転軸部は、
前記枠部を貫通して設けられることを特徴とする。
【００１４】
この発明によれば、外装ケースの風防ガラスの外周縁を保持する枠部を貫通して回転操
作部が設けられている。外装ケースの枠に貫通して回転操作部が設けられていることより
、風防ガラスに穴を開けずに済む。このことから、風防ガラスに穴を開けることによって
生じる風防ガラスの強度の低下を回避することができる。
【発明を実施するための最良の形態】
【００１５】
〔第一実施形態〕
以下、本発明に係る第１実施形態の時計を図面に基づいて説明する。
図１は、本発明に係る第一実施形態における腕時計１を示す平面図である。
図２は、前記第一実施形態の腕時計１において、回転操作部近傍の概略構成を示す縦断
面図である。
【００１６】
〔時計の構成〕
図１に示すように、腕時計１は、扁平な円筒状の外装ケース２と、外装ケース２の一端
側に保持される風防ガラス３と、外装ケース２の他端面に固定される裏蓋４（図２参照）
と、外装ケース２の内部で、風防ガラス３に対向して設けられる表示部５と、外装ケース
２の内部に収納されるムーブメント６と、表示部５に設けられる内転リング５１を駆動さ
せる内転リング操作手段８と、を備えている。
【００１７】
外装ケース２は、図２に示すように、胴部２１と、風防ガラス３の外周縁を保持する環
状の枠部２２とから構成されている。
【００１８】
胴部２１は、略筒状に形成され、筒内周部において、ムーブメント６を収納する。この
胴部２１の風防ガラス３側の端面には、上記のように枠部２２が固定されている。
また、胴部２１の他端面には、裏蓋４が固定されている。この裏蓋４の固定方法として
は、図２に示すように、胴部２１の内周面に雌ネジを形成し、裏蓋４の外周縁に沿って設
けられる雄ネジを螺合させることで固定される。なお、裏蓋４の固定方法としては、上記
に限定されず、例えば、固定ネジによるネジ止めなどその他の固定方法を用いてもよい。
【００１９】
また、胴部２１の３時方向の側面には、りゅうず７が設けられている。このりゅうず７
は、ムーブメントに設けられる図示しない巻真に接続されている。そして、りゅうず７が
回転操作されることで、その回転力が巻真に伝達され、巻真から例えば各指針を駆動させ
る輪列や日車を駆動させる輪列に回転力が伝達される。これにより、りゅうず７の操作に
より、指針や日車などの位置調整が可能となる。
【００２０】
枠部２２は、環状に形成され、内周面に風防ガラス３が載置されるための枠突出部２２
１を備えている。さらに枠部２２の９時方向位置には、パイプ８２が挿通される孔部８１
が設けられている。この孔部８１は、外装ケース２の枠部２２において、文字板５２の面
方向に対して直交する時計厚み方向に沿って、時計内外を連通する状態に設けられている
。
なお、ここでは、胴部２１と、枠部２２とは一体成形されているが、別部材であっても
よい。
【００２１】
風防ガラス３は、円盤状であり、外周縁が枠突出部２２１上に載置され、パッキン３１
が枠部２２の内周縁との間に介装されることで固定されている。さらに、風防ガラス３に
表面の外周縁には切欠部が設けられている。この切欠部は、回転操作部８３の回転頭部８
３２の外周縁に沿うようになだらかな曲線で、かつ、切欠部の時計平面方向に平行する面
と、枠部２２の孔部８１が形成される面とが略同一面となるように形成されている。
なお、回転操作部８３の回転頭部８３２の外周縁が風防ガラス３に干渉しない場合、例
えば回転頭部８３２が小さい場合や、風防ガラス３の厚み寸法が小さく、枠部２２の孔部
８１が形成される面よりも突出しない場合では、切欠部が形成されなくてもよい。
【００２２】
裏蓋４は、円盤状であり、上記のように、胴部２１の風防ガラス３と反対の端面にＯリ
ング４１を介して設けられている。
【００２３】
表示部５は、腕時計１の内部において、風防ガラス３に対向する位置に設けられている
。この表示部５は、図１に示すように、外装ケース２に固定される文字板５２、時刻を表
示するための指針５３、および内転リング５１を備えている。
【００２４】
文字板５２は、円盤状の金属製であり、図示されない固定手段によって胴部２１に固定
されている。また、文字板５２は、例えば外周縁に沿って等間隔に、時刻を表示するため
の時刻表示目盛が形成されている。
【００２５】
指針５３は、文字板５２の略中心点においてムーブメント６から突出する指針軸５４に
固定されている。この指針５３は、文字板５２および風防ガラス３の間に配置され、ムー
ブメントにより、指針軸５４が駆動されることで、運針される。
【００２６】
内転リング５１は、文字板５２の外周縁に沿って、周方向に回転可能に設けられている
。具体的には、内転リング５１は、図２に示すように、胴部２１の内周壁面に対して対向
する外周面、文字板５２に対向する底面、および風防ガラス３に対向する斜面を有する断
面略三角形状に形成される。
この内転リング５１は、底面から文字板５２側に突出して、文字板５２の上面に当接す
る突起部５２１を備えている。また、この内転リング５１は、風防ガラス３に対向する上
端縁が枠部２２の枠突出部２２１に当接されている。これにより、内転リング５１は、枠
突出部２２１と文字板５２とにより挟持されることで、周方向に沿って回転可能に保持さ
れる。
【００２７】
また、内転リング５１の風防ガラス３に対向する斜面には、情報表示面が形成され、こ
の情報表示面に所定の情報目盛を形成し、内転リング５１を適宜回転させることで、情報
を表示可能となる。この情報表示面に表示される情報としては、例えば簡易方位測定用に
等間隔で形成される方位表示目盛、日付を表示する日付目盛、所定時間からの経過時間を
計測するタイマーとして機能させるための時間目盛などが挙げられる。
【００２８】
さらに、内転リング５１は、外周面に沿って胴部２１側に突出する、外歯状の駆動部と
しての駆動歯車５１１が設けられている。この駆動歯車５１１は、上面が枠部２２の内周
縁における下端（裏蓋側端縁）に当接され、位置決めされている。
【００２９】
ムーブメント６は、詳細な図は省略するが、指針を駆動させる駆動力を供給する駆動部
、駆動部から発生する駆動力を各指針に伝達させる駆動輪列、ムーブメントの動作を制御
する制御回路部を備えている。
【００３０】
駆動部としては、例えばゼンマイ、ステッピングモータなどを例示することができる。
ゼンマイを駆動源として用いる場合、ムーブメント６は、例えば竜頭７から伝達される回
転力をゼンマイに伝達させるゼンマイ巻き上げ機構、もしくは、発電機や電池などといっ
た駆動電源を用い、ゼンマイの自動巻き上げを実施する巻き上げ機構などを備える。また
、ステッピングモータを動力源とする場合、ムーブメント６は、ステッピングモータに電
力を供給する発電機や電池を備える。また、制御回路部には、ステッピングモータの回転
数を制御して、指針の駆動速度を調速する調速回路などが設けられる。
【００３１】
制御回路部は、発電機や二次電池などの電力供給源から供給される電力により駆動され
る。この制御回路部は、例えばパルス信号発生回路から出力されるクロックパルスに基づ
いて、駆動部にて発生する駆動力を制御したり、輪列の駆動状態が一定速度となるように
調速制御したりする各種回路を備えている。
【００３２】
〔内転リング操作手段の構成〕
内転リング操作手段８は、枠部２２の孔部８１に嵌挿されるパイプ８２、およびパイプ
８２に挿通される回転操作部８３を備えている。
【００３３】
パイプ８２は、両端部がそれぞれ時計内外に所定寸法だけ突出する状態に、孔部８１に
嵌挿され、固定されている。パイプ８２は、風防側に突出した部分に段差部８２２が設け
られている。この段差部８２２は、孔部８１の上縁に当接し、パイプ８２が位置決めされ
ている。
【００３４】
回転操作部８３は、回転軸部８３１、回転頭部８３２および駆動伝達部としての駆動伝
達歯車８３３を備えている。
回転軸部８３１は、パイプ８２のパイプ孔の内周径寸法と略同一径寸法に形成される軸
部材である。この回転軸部８３１は、パイプ８２を挿通して時計の内外を貫通する状態に
配置され、軸心を回転中心軸として回転可能に保持されている。回転軸部８３１の軸方向
に沿う略中央部には、周方向に沿って凹部が形成され、この凹部には、パイプ８２本体と
の間で例えばパッキンなどの防水部材８２１が設けられている。
【００３５】
回転頭部８３２は、上述のように、回転軸部８３１の時計外方側の一端部に一体形成さ
れている。この回転操作部８３は、回転軸部８３１の軸方向に直交する断面径寸法が、パ
イプ８２のパイプ孔径寸法よりも大きく形成され、パイプ８２の内部への侵入が防止され
るとともに、枠部２２の上面に突出している。
また、回転頭部８３２の枠部２２に対向する面には、断面円形状の凹部８３２Ａが設け
られ、この凹部８３２Ａの中心軸上には、凹部底面から延出形成される前記回転軸部８３
１が挿通されている。そして、この凹部８３２Ａおよび回転軸部８３１の間には、パイプ
８２の突出先端が挿通される。ここで、凹部８３２Ａの内周面と、パイプ８２との間には
、防水部材８２１が配置され、防水性が確保されている。
【００３６】
駆動伝達歯車８３３は、回転軸部８３１の時計内方側端部に固定されている。
具体的には、駆動伝達歯車８３３は、中心軸上に例えば半月状、トラック形状、多角形
状などの非円形状に形成される係止挿通孔８３３Ｂを備えている。また、回転軸部８３１
の時計内方側端部は、断面形状が係止挿通孔８３３Ｂと同一形状に形成されている。そし
て、駆動伝達歯車８３３は、係止挿通孔８３３Ｂに、回転軸部８３１の挿通部を挿通させ
、例えばＣリングなど位置決め板８３４により位置決めされることで固定される。なお、
駆動伝達歯車８３３の構成としては、これに限定されず、例えば回転軸部８３１に一体形
成される構成などとしてもよい。そして、この駆動伝達歯車８３３は、回転軸部８３１の
軸心を中心とする係方向に突出する複数の歯を備え、これらの歯が内転リング５１の外歯
状の駆動歯車５１１に係合されている。
【００３７】
〔内転リングの操作方法〕
次に、上記のような腕時計１における内転リング５１の操作方法について、説明する。
腕時計１では、内転リング５１を操作するためには、内転リング操作手段８の回転操作
部８３を回転操作する。すなわち、回転頭部８３２を指でつまんで回転させると、回転頭
部８３２に接合されている回転軸部８３１も一体となって回転し、駆動伝達歯車８３３も
一体となって回転する。この駆動伝達歯車８３３が回転することにより、その回転駆動力
が内転リング５１の駆動歯車５１１に伝達され、内転リング５１が回転する。
【００３８】
〔第一実施形態の作用効果〕
本第一実施形態によれば、次のような効果を奏することができる。
すなわち、上述したように、上記第一実施形態の腕時計１では、内転リング５１の駆動
歯車５１１に係合される駆動伝達歯車８３３を備えた回転操作部８３が、文字板５２に対
して垂直方向（時計厚み方向）に設けられ、回転頭部８３２が時計の風防側に突出して設
けられている。
この様な構成では、回転頭部８３２を指でつまみ回転させることにより、駆動伝達歯車
８３３から駆動歯車５１１に駆動力が伝達され、内転リング５１を回転させることができ
る。
また、回転頭部８３２が枠部２２の外方である風防ガラス３側に突出しているため、腕
時計１の通常使用時において、回転頭部８３２に腕や衣服など、他の外部部材に当たるこ
とがなく、不慮の回転操作部８３の回転が防止される。したがって、回転操作部８３の不
慮の回転による誤操作や誤動作を防止することができ、内転リング５１により利用者が所
望する情報を適切に表示させることができる。
【００３９】
さらに、従来の回転操作部８３が時計側面にあるものは、右手に装着した場合、回転操
作部８３が右上腕側に配置され、左手では回転操作部８３を操作しにくいという問題があ
ったが、上記腕時計１では、回転操作部８３の回転頭部８３２が文字板５２に対して垂直
方向に設けられているので、どちらの腕に装着した場合も操作しやすく、操作性を向上で
きる。
【００４０】
さらに、回転操作部８３が枠部２２を貫通して設けられていることから風防ガラスに穴
を開けずに済む。このことから、風防ガラス３に穴をあけることによって生じる風防ガラ
ス３の強度の低下を回避することができる。
【００４１】
〔第二実施形態〕
次に、本発明の第二実施形態の腕時計１Ａを図３、図４に基づいて説明する。
図３は、本発明の第二実施形態に係る時計装置である腕時計１Ａを示す平面図である。
図４は、本発明の第二実施形態に係る腕時計１Ａの特に、回転操作部８３部分の断面図
である。
なお、以下に説明する各実施形態において、第一実施形態の同様の構成については、同
一符号を付し、その説明を省略または簡略する。
【００４２】
第二実施形態の腕時計１Ａは、第一実施形態の腕時計１における内転リング５１および
駆動伝達歯車８３３を改良したものである。すなわち、第一実施形態では、回転操作部８
３の駆動伝達部として駆動伝達歯車８３３を用いる例を示した。しかしながら、駆動部や
駆動伝達部を歯車により形成する場合、歯の突出寸法だけ、時計の平面方向のサイズが大
きくなるという課題がある。これに対して、以下に示す第二実施形態では、駆動伝達部と
して高摩擦性部材を用いる。なお、その他の構成については、上記第一の実施の形態と同
様の構成を有するものであり、その説明を省略する。
【００４３】
すなわち、図４に示すように、第二の実施の形態の腕時計１Ａの内転リング５１Ａは、
第一実施形態の時計１と略同様であるが、外周面に形成される駆動部として、表面形状が
略山形となる凹凸部を有する駆動突出部５１１Ａを備えている。また、この内転リング５
１Ａは、少なくとも駆動突出部５１１Ａが例えば金属などの硬質部材により形成され、後
述の駆動伝達部８３３Ａを弾性変形可能な強度に形成されている。
【００４４】
回転操作部８３Ａは、回転軸部８３１、回転頭部８３２、および駆動伝達部８３３Ａを
備えている。ここで、駆動伝達部８３３Ａは、第一実施形態の駆動伝達歯車８３３と略同
一位置、すなわち回転軸部８３１の時計内方側端部に周方向に沿って固定されている。
この駆動伝達部８３３Ａは、高摩擦性樹脂によって形成されている。ここで、高摩擦性
樹脂としては、例えばアクリルメラミン系樹脂、ポリエステルウレタン系樹脂などの高摩
擦係数を有する合成樹脂により形成される合成ゴムや、天然ゴムを用いることができる。
この駆動伝達部８３３Ａは、駆動突出部５１１Ａに接触して回転された際、摩擦力により
、駆動突出部５１１Ａに回転力を伝達し、内転リング５１Ａを回転させる。また、この時
、駆動伝達部８３３Ａは、駆動突出部５１１Ａ上に形成される凹凸部の山形形状に応じて
、その表面が弾性変形される。これにより、駆動突出部５１１Ａに接触する駆動伝達部８
３３Ａの接触面積が増大し、より大きな摩擦力で内転リング５１Ａを駆動させることが可
能となる。
【００４５】
〔内転リングの操作方法〕
上記のような第二実施形態の腕時計１Ａでは、第一実施形態の腕時計１と同様の操作方
法により内転リンク５１Ａを回転させることが可能となる。すなわち、内転リング５１Ａ
を回転させるためには、回転頭部８３２を指でつまんで回転させる。これにより、回転軸
部８３１の他端に形成されている駆動伝達部８３３Ａも一体となって回転し、摩擦力によ
り駆動突出部５１１Ａが回転され、内転リング５１Ａも回転される。
【００４６】
〔第二実施形態の作用効果〕
上記第二実施形態によれば、次のような効果を奏することができる。
すなわち、腕時計１Ａでは、回転操作部８３が文字板５２に対して垂直方向に設けられ
、回転頭部８３２が時計の風防側に突出して設けられている。
このため、突出した回転頭部８３２が時計使用中に腕などに当たることがなく、不慮の
回転操作部８３の回転を防止することができ、誤作動を防止することができる。
【００４７】
さらに、駆動伝達部８３３Ａが高摩擦性樹脂により形成されている。このため、駆動伝
達部８３３Ａと駆動突出部５１１Ａにそれぞれ歯車を形成する必要がなく、駆動伝達部８
３３Ａの表面と、駆動突出部５１１Ａとの間に生じる摩擦力により、内転リング５１Ａを
回転させることができる。また、このような構成では、歯車を用いるよりも、駆動突出部
５１１Ａおよび駆動伝達部８３３Ａの時計平面方向に対するサイズを小さくでき、腕時計
１Ａのサイズも小さくすることができるため、より携帯性を向上させることができる。
【００４８】
〔他の実施の形態〕
なお、本発明は前述の実施形態に限定されるものではなく、本発明の目的を達成できる
範囲での変形、改良等は本発明に含まれるものである。
【００４９】
例えば、上記第二実施形態では駆動伝達部８３３Ａのみを高摩擦性樹脂により形成する
としたが、内転リング５１Ａの駆動突出部５１１Ａを高摩擦性樹脂により形成する構成と
してもよく、駆動伝達部８３３Ａおよび駆動突出部５１１Ａの双方を高摩擦性樹脂により
形成する構成としてもよい。このような構成でも、駆動伝達部と駆動突出部との摩擦力に
より内転リング５１Ａを回転させることができ、摩擦力も大きくなるため、より確実に滑
りを防止することができる。
【００５０】
さらに、上記第一および第二実施形態では、回転操作部８３，８３Ａが、軸方向に沿っ
て進退可能な構成であってもよく、この場合、例えば回転操作部８３，８３Ａが時計内方
側に押し込まれた状態で、駆動伝達部と駆動部とが離れて駆動力が伝達不可能な状態とな
り、回転操作部８３，８３Ａを時計外方側に引き出すことで、駆動伝達部および駆動部が
係合され、駆動力が伝達可能な状態となる構成としてもよい。このような構成では、時計
通常使用時において、不慮の回転操作部８３，８３Ａの回転をより確実に防止することが
できる。
【００５１】
その他、本発明の実施の際の具体的な構造および手順は、本発明の目的を達成できる範
囲で他の構造などに適宜変更できる。
【図面の簡単な説明】
【００５２】
【図１】本発明に係る腕時計を示す平面図。
【図２】第一実施形態の腕時計において、回転操作部近傍の概略構成を示す縦断面図。
【図３】第二実施形態に係る腕時計を示す平面図。
【図４】第二実施形態の腕時計において、回転操作部近傍の概略構成を示す縦断面図。
【符号の説明】
【００５３】
１，１Ａ…腕時計、２…外装ケース、３…風防ガラス、４…裏蓋、５…表示部、６…ム
ーブメント、８…内転リング操作手段、５１，５１Ａ…内転リング、５２…文字板、８３
，８３Ａ…回転操作部、５１１…駆動部としての駆動歯車、５１１Ａ…駆動部としての駆
動突出部、８３１…回転軸部、８３２…回転頭部、８３３…駆動伝達部としての駆動伝達
歯車、８３３Ａ…駆動伝達部。
【図１】
2010139460.tif 000003
【図２】
2010139460.tif 000004
【図３】
2010139460.tif 000005
【図４】
2010139460.tif 000006